(57)【要約】【課題】メイン電源のオフからサブ電源部に遷移したときに、サブ電源部による黒映像出力の消費電力を低減し得る液晶表示装置及びテレビジョン受像機を提供する。【解決手段】液晶表示装置（１Ａ）は、メイン電源（３１）がオフされたときに、少なくともゲートドライバ（２４）及びソースドライバ（２３）を含む回路の電源電圧の降下を遅延させるサブ電源部（３３）と、メイン電源（３１）のオフを検知したときに、ゲートドライバ（２４）にて少なくとも映像書き込み中のゲート線（ＧＬ）を非選択とさせた後、黒映像を出力させるべく、ゲートドライバ（２４）にドライバリセット信号（ＲＳＴ２）を出力するタイミングコントローラ（２２）とを備える。【選択図】図１
2017067958.tif 000002
【特許請求の範囲】
【請求項１】
液晶素子を備える表示パネルと、上記液晶素子を駆動する走査線駆動部及び信号線駆動部と、メイン電源がオフされたことを検知するメイン電源オフ検知部と、上記メイン電源がオフされたときに、少なくとも上記走査線駆動部及び信号線駆動部を含む回路の電源電圧の降下を遅延させるサブ電源部とを備えた液晶表示装置において、
上記メイン電源のオフを検知したときに、上記走査線駆動部にて少なくとも映像書き込み中の走査線を非選択とさせた後、黒映像を出力させるべく、上記走査線駆動部にリセット信号を出力するタイミングコントローラが設けられていることを特徴とする液晶表示装置。
【請求項２】
前記タイミングコントローラは、前記メイン電源のオフを検知したときに、前記走査線駆動部にリセット信号を出力することにより、該走査線駆動部に全ての走査線を非選択とさせることを特徴とする請求項１記載の液晶表示装置。
【請求項３】
前記走査線駆動部は、複数個の個別走査線駆動部からなっており、
前記タイミングコントローラは、前記メイン電源のオフを検知したときに、複数個の個別走査線駆動部のうち、映像書き込みのために走査線選択動作中の個別走査線駆動部における全ての走査線を非選択とさせることを特徴とする請求項１記載の液晶表示装置。
【請求項４】
請求項１〜３のいずれか１項に記載の液晶表示装置を備えていることを特徴とするテレビジョン受像機。
【発明の詳細な説明】
【技術分野】
【０００１】
本発明は、液晶表示装置及びテレビジョン受像機に関するものであり、詳細には、メイン電源オフ時のサブ電源部を用いた黒画像書き込み技術に関する。
【背景技術】
【０００２】
フラットパネル表示装置の代表的なものとして、アクティブマトリックス液晶表示装置がある。この液晶表示装置は、液晶表示素子を用いており、軽量、薄型及び低消費電力等の特徴から、テレビを中心として各種電子機器等の様々な分野に用いられている。
【０００３】
液晶表示素子としては、薄膜トランジスタ（ＴＦＴ）により駆動される各画素がマトリクス状に形成された表示領域を備えたアクティブマトリクス型のものがある。この液晶表示素子は、アレイ基板と対向基板とを対向配置し、これら基板間に液晶層を介在して構成されている。
【０００４】
また、表示領域には、ゲートドライバに電気的に接続された走査線と、ソースドライバに電気的に接続された信号線とが画素の間に沿って格子状に配設され、これら走査線と信号線との交点近傍に、これら走査線及び信号線にそれぞれ電気的に接続された薄膜トランジスタと保持容量とが配設されている。さらに、画素は、アレイ基板側に配設された画素電極と、対向基板側に配設された共通基板との間に液晶層が位置して構成されている。
【０００５】
そして、ゲートドライバに入力される走査線駆動信号と、ソースドライバに入力される信号線駆動信号とに基づいて、走査線と信号線との交点近傍に位置する薄膜トランジスタがオンオフされ、この薄膜トランジスタのオンオフにより各画素の画素電極に印加される電圧が変化することによって、各画素の表示状態が変化する。
【０００６】
しかしながら、このような液晶表示素子では、電源が遮断された後に、保持容量及び液晶容量に電荷が残ることによって、電源を遮断する直前まで画素により表示されていた画像が残像として表示されてしまう虞がある。
【０００７】
そこで、そのような残像対策として様々な技術が提案されている。
【０００８】
例えば、特許文献１に開示された液晶表示装置１００は、図７の（ａ）に示すように、メイン電源が時刻Ｔ２にオフされたことを検知すると、サブ電源部に遷移した後、このサブ電源部の電力を用いてゲートドライバ１２４に対してゲートスタートパルス信号を送る。これにより、表示パネル１１０の先頭ラインから黒データを書き込むようになっている。
【０００９】
この結果、メイン電源のオフ時における表示パネル１１０の残像を消去することができるものとなっている。
【先行技術文献】
【特許文献】
【００１０】
【特許文献１】特開２０１２−１３３１８２号公報（２０１２年７月１２日公開）
【発明の概要】
【発明が解決しようとする課題】
【００１１】
しかしながら、上記従来の液晶表示装置１００では、ゲートドライバ１２４を初期化せずに途中でゲートドライバ１２４に対してゲートスタートパルス信号を送ることにより、黒データを書き込んでいる。
【００１２】
それゆえ、通常の書込みと黒データの書込みとを並行して行う期間が発生し、その期間の消費電力が増加するという問題を有している。
【００１３】
本発明は、上記従来の問題点に鑑みなされたものであって、その目的は、メイン電源のオフからサブ電源部に遷移したときに、サブ電源部による黒映像出力の消費電力を低減し得る液晶表示装置及びテレビジョン受像機を提供することにある。
【課題を解決するための手段】
【００１４】
本発明の一態様における液晶表示装置は、上記の課題を解決するために、液晶素子を備える表示パネルと、上記液晶素子を駆動する走査線駆動部及び信号線駆動部と、メイン電源がオフされたことを検知するメイン電源オフ検知部と、上記メイン電源がオフされたときに、少なくとも上記走査線駆動部及び信号線駆動部を含む回路の電源電圧の降下を遅延させるサブ電源部とを備えた液晶表示装置において、上記メイン電源のオフを検知したときに、上記走査線駆動部にて少なくとも映像書き込み中の走査線を非選択とさせた後、黒映像を出力させるべく、上記走査線駆動部にリセット信号を出力するタイミングコントローラが設けられていることを特徴としている。
【００１５】
また、本発明の一態様におけるテレビジョン受像機は、上記の課題を解決するために、前記液晶表示装置を備えていることを特徴としている。
【発明の効果】
【００１６】
本発明の一態様によれば、メイン電源のオフからサブ電源部に遷移したときに、サブ電源部による黒映像出力の消費電力を低減し得る液晶表示装置及びテレビジョン受像機を提供するという効果を奏する。
【図面の簡単な説明】
【００１７】
【図１】本発明の実施形態１における液晶表示装置の構成を示すブロック図である。
【図２】上記液晶表示装置を備えたテレビジョン受像機の構成を示す正面図である。
【図３】上記液晶表示装置のメイン電源をオフしたときの動作を示すタイミングチャートである。
【図４】（ａ）は上記液晶表示装置のメイン電源をオフしたときのゲートドライバへのリセット信号の出力状態を示す正面図であり、（ｂ）は上記ゲートドライバのシフトレジスタの構成を示す正面図である。
【図５】（ａ）は上記液晶表示装置のメイン電源をオフしたときの通常映像と黒映像との表示の進行状態を示す正面図であり、（ｂ）は上記液晶表示装置のメイン電源をオフしたときの通常映像と黒映像とが重なって表示されることなく表示されている状態を示すタイミングチャートである。
【図６】本発明の実施形態２における液晶表示装置の構成を示すものであって、液晶表示装置におけるゲートドライバの構成を示す回路図である。
【図７】（ａ）は従来の液晶表示装置を示すものであって、上記液晶表示装置のメイン電源をオフしたときの通常映像と黒映像との表示の進行状態を示す正面図であり、（ｂ）は上記液晶表示装置のメイン電源をオフしたときに、通常映像と黒映像とが重って表示されている状態を示すタイミングチャートである。
【発明を実施するための形態】
【００１８】
〔実施の形態１〕
本発明の一実施形態について図１〜図５に基づいて説明すれば、以下のとおりである。
【００１９】
本実施の形態の液晶表示装置１Ａは、図２に示すように、例えば、テレビジョン受像機２に使用されている。しかし、本発明の液晶表示装置は、必ずしもテレビジョン受像機２に限らず、例えば、他のパーソナルコンピュータのモニタや、タブレット、スマートフォン等の画像表示装置に適用することができる。
【００２０】
本実施の形態の液晶表示装置１Ａの構成について、図１に基づいて説明する。図１は、本実施の形態における液晶表示装置１Ａの概略構成を示す機能ブロック図である。
【００２１】
本実施の形態の液晶表示装置１Ａは、図１に示すように、例えばＴＦＴアクティブマトリックス液晶表示装置からなっており、表示パネル１０と、駆動回路２０と、電源回路部３０と、主制御部４０とを備えている。
【００２２】
表示パネル１０は、アクティブマトリックス方式の液晶表示パネルであって、マトリックス状に液晶素子としてのセル１１が配置されている。尚、ここでは、３×３の９個のセル１１について例示している。セル１１は液晶電極１２とデータ設定用トランジスタ１３とを備えている。また、ここでは最もシンプルな構造について例示している。
【００２３】
液晶電極１２は、データ設定用トランジスタ１３に接続されるプラス電極と、全面に対向電極（コモンＣＯＭ）が形成されるコモン電極とが液晶層を挟んで構成されている。
【００２４】
データ設定用トランジスタ１３は、スイッチング素子として機能する薄膜トランジスタ（ＴＦＴ：Thin Film Transistor）である。そして、データ設定用トランジスタ１３のゲートは走査線としてのゲート線ＧＬに接続されていると共に、データ設定用トランジスタ１３のソースはデータ線ＤＬに接続され、データ設定用トランジスタ１３のドレインは液晶電極１２に接続されている。
【００２５】
次に、駆動回路２０は、画像データ回路２１と、タイミングコントローラ２２と、ソースドライバ２３と、ゲートドライバ２４とを備えている。
【００２６】
画像データ回路２１は、外部から入力されるクロック信号に基づいて水平同期信号、垂直同期信号及び輝度データであるＲＧＢのデータ信号を生成し、各同期信号はタイミングコントローラ２２へ出力する一方、データ信号はソースドライバ２３に出力する。
【００２７】
タイミングコントローラ２２は、ソースドライバ２３及びゲートドライバ２４の動作のタイミング制御を行う。尚、タイミングコントローラ２２からゲートドライバ２４へゲートスタートパルス信号ＧＳＰを出力する遮断時リセット信号線４１等の専用線が設けられてもよいし、通常のコントロール信号が重畳される信号線が利用されてもよい。そして、主制御部４０から遮断時リセット信号線４１を介してタイミングコントローラ２２にパルス信号からなる遮断時リセット信号ＲＳＴ１が入力されると、タイミングコントローラ２２は、タイミング動作を初期化して、ゲートドライバ２４にゲートスタートパルス信号ＧＳＰを出力する。
【００２８】
ソースドライバ２３は、パネル電源３２から出力された駆動電圧を、ゲートドライバ２４の走査に同期して表示内容、つまり輝度データに対応した信号電圧をデータ線ＤＬに重畳して出力する。
【００２９】
ゲートドライバ２４は、タイミングコントローラ２２から出力された駆動電圧を、所定の制御タイミングに基づいてゲート線ＧＬに走査パルスとして印加し、そのゲート線ＧＬに接続されたスイッチング素子であるデータ設定用トランジスタ１３を順次選択状態にする。ソースドライバ２３及びゲートドライバ２４の走査は、上述の通りタイミングコントローラ２２によってタイミング制御される。また、タイミングコントローラ２２からゲートドライバ２４にオンレベルのゲートスタートパルス信号ＧＳＰが入力すると、例えば、セル１１へのデータの書き込み処理を強制的にリセットして、表示パネル１０の先頭ラインから黒データの書き込み処理を行う。
【００３０】
ここで、本実施の形態では、ゲートドライバ２４は、後述する図４の（ａ）に示すように、例えば、８個の個別ゲートドライバ２４ａ・２４ｂ…２４ｈからなっている。この理由は、テレビジョン受像機２等においては、走査線の数が多いので、ゲートドライバ２４として、複数個の個別ゲートドライバ２４ａ・２４ｂ…２４ｈを用いた方が、処理時間的に効率が良い等のためである。
【００３１】
次に、電源回路部３０は、メイン電源３１と、パネル電源３２と、サブ電源部３３と、メイン電源オフ検知部としての遮断検出部３４とを備える。尚、ここでは各構成要素に供給するここの電源として、パネル電源３２についてのみ例示しているが、当然に、他の構成要素等に対する電源がそれぞれに用意される。
【００３２】
メイン電源３１は、外部の交流電源を直流に変換して、各構成要素に電力を供給する。
【００３３】
パネル電源３２は、メイン電源３１から供給された電力を所望の電圧及び電流に変換して、駆動回路２０に供給する。
【００３４】
サブ電源部３３は、メイン電源３１がオフされたときに、黒映像を挿入する処理のために、２０ｍｓ程度だけ駆動回路２０を駆動させる電源として機能する。ここでは、サブ電源部３３は、メイン電源３１がオフしたときに、駆動回路２０に電力供給するパネル電源３２に対してバックアップ用の電力を供給する。サブ電源部３３として、簡単な構成のものでは、例えば、コンデンサを用いることができる。
【００３５】
遮断検出部３４は、メイン電源３１がオフされたことを示す遮断検出信号を検知し、サブ電源部３３の電力をパネル電源３２に出力する。また、検知結果を主制御部４０に通知する。
【００３６】
このように、本実施の形態の液晶表示装置１Ａは、メイン電源３１の遮断時に２０ｍｓ程度電源を保持するサブ電源部３３が用意されている。そして、メイン電源３１の遮断時に電圧降下を検出し、検知信号をトリガーにサブ電源部３３が起動し、駆動回路２０にて表示パネル１０に黒画面を表示するようになっている。
【００３７】
次に、主制御部４０には、電源遮断時に表示パネル１０の各セル１１に黒挿入処理を行うための制御信号線として遮断時リセット信号線４１が、タイミングコントローラ２２に向けて接続されている。
【００３８】
したがって、遮断検出信号の検知結果を取得した主制御部４０は、遮断時リセット信号線４１にオンレベルの遮断時リセット信号ＲＳＴ１を出力する。尚、検知結果は、主制御部４０を介さずに遮断検出部３４からタイミングコントローラ２２へ直接通知されてもよい。
【００３９】
ここで、上記構成の液晶表示装置１Ａにおいては、メイン電源３１の遮断時に、遮断検出部３４が電圧降下を検出したときに、表示パネル１０に対して黒データを書き込むように設定を変更する。
【００４０】
この場合、映像データが図示しないバッファに入っている等の理由によって、表示パネル１０への黒書き込みが次のフレームからになる場合もある。その場合、黒書き込みまで１フレームについて最大１６．６ｍｓかかることになり、書き込み完了までの時間が最大３３ｍｓと増大してしまう。そこで、メイン電源３１の遮断が検出された時点で、表示パネル１０の先頭から即時書き込み開始することによって、黒データの書き込み時間を最大１６．６ｍｓに短縮することができる。このような処理を行うことによって、電荷が残留した場合でも、残像がユーザに認知されないようにすることができる。
【００４１】
ところで、メイン電源３１の遮断が検出された時点で、表示パネル１０の先頭ラインから即時書き込み開始する場合に、従来の液晶表示装置１００においては、図７の（ａ）に示すように、表示パネル１１０の上段の先頭ラインからデータの書込みを行う。この場合、通常映像は、表示パネル１１０の途中までのデータの書込みが終了し、さらに、表示パネル１１０の途中行から下段までの書き込みを続ける。
【００４２】
この結果、図７の（ｂ）に示すように、通常映像の書込みと黒データの書込みとを並行して行う期間が発生し、その期間の消費電力が増加するという問題を有している。
【００４３】
そこで、本実施の形態の液晶表示装置１Ａでは、この問題を解決するために、制御部としての主制御部４０及びタイミングコントローラ２２は、メイン電源３１のオフを検知したときに、サブ電源部３３を用いて、走査線駆動部としてのゲートドライバ２４にて全ての走査線としてのゲート線ＧＬを非選択とさせた後、信号線駆動部としてのソースドライバ２３及びゲートドライバ２４にて全ての液晶素子としてのセル１１に黒映像を出力させるようになっている。
【００４４】
上記構成の本実施の形態の液晶表示装置１Ａにおけるメイン電源３１のオフ時の動作を、図３、図４の（ａ）（ｂ）及び図１に基づいて説明する。図３は、本実施の形態の液晶表示装置１Ａの動作を示すタイミングチャートである。図４（ａ）は、上記液晶表示装置のメイン電源をオフしたときのゲートドライバへのリセット信号の出力状態を示す正面図である。図４の（ｂ）は、上記ゲートドライバのシフトレジスタの構成を示す正面図である。
【００４５】
図３に示すように、まず、時刻ｔ１までの期間は、メイン電源３１がオンの状態となっている。時刻ｔ１において、ユーザ等によってメイン電源３１がオフされると、遮断検出部３４は、その旨を検知する。遮断検出部３４は、検知結果を主制御部４０に通知すると共に、サブ電源部３３から駆動回路２０への電力供給処理を開始する。また、主制御部４０は、液晶表示装置１Ａをオフする処理を開始し、さらに、遮断時リセット信号線４１を通してオンレベルの遮断時リセット信号ＲＳＴ１をタイミングコントローラ２２に出力する。
【００４６】
これにより、タイミングコントローラ２２は、図４の（ａ）に示すように、ゲートドライバ２４の各個別ゲートドライバ２４ａ〜２４ｈに対してドライバリセット信号線２７を介してドライバリセット信号ＲＳＴ２を出力する。その結果、図４の（ｂ）に示すように、例えば個別ゲートドライバ２４ａでは、シフトレジスタ２５の各フリップフロップ回路２６の端子Ｒに入力される。このため、全てのゲートドライバ２４のゲート線ＧＬが一度に同時に非選択となる。それゆえ、従来では、メイン電源３１のオフ時に、メイン表示パネル１１０の途中までのデータの書込みが終了し、さらに、表示パネル１１０の途中行から下段までの書き込みを続けていた。しかし、本実施の形態では、シフトレジスタ２５の各フリップフロップ回路２６…がリセットされるので、各ゲート線ＧＬへのオン信号がキャンセルされる。この結果、表示パネル１１０の先頭ラインから最下段のラインまでキャンセルされる。この結果、途中ラインから最下段のラインまでの書き込みも無くなる。
【００４７】
このゲートドライバ２４のリセット期間は、図３に示すように、時刻ｔ２に終了する。ゲートドライバ２４のリセットが終了すると、最下段の個別ゲートドライバ２４ｈにおけるシフトレジスタ２５の最下段のフリップフロップ回路２６からリセット完了の信号がタイミングコントローラ２２に出力され、これにより、タイミングコントローラ２２は、ゲートドライバ２４にゲートスタートパルス信号ＧＳＰを出力する。
【００４８】
この結果、画像データ回路２１及びソースドライバ２３は、黒映像に対応する信号を出力する。より具体的には、リセット完了の信号を取得したタイミングコントローラ２２は、表示パネル１０の先頭ラインから黒データの書き込み処理を行うための制御信号であるゲートスタートパルス信号ＧＳＰをゲートドライバ２４に出力する。
【００４９】
そして、時刻ｔ２から所定時間、例えば２０ｍｓ程度経過した時刻ｔ３になると、表示パネル１０の全てのセル１１の黒データの書き込みが終了する。これにより、サブ電源部３３はオフし、パネル電源３２への電力供給が全て停止する。ここで、黒映像を出力する期間（例えば上記２０ｍｓ）は、黒映像を１フレームだけ出力する期間に対応する。
【００５０】
この結果、駆動回路２０への電力供給が停止するため、駆動回路２０の動作が停止し、画像データ回路２１及びソースドライバ２３から黒映像に対応する信号の出力が停止する。尚、黒映像を１フレームだけでなく、複数フレーム分だけ出力する場合は、そのフレーム数に対応した時間だけ、サブ電源部３３から電力が供給される。つまり、出力するフレーム数に応じて必要最低限の電力容量が決定される。ただし、電力容量に若干のバッファが設定されてもよい。
【００５１】
以上のような構成及び処理によって、最後に黒映像が表示されて液晶表示装置１Ａがオフすることになるため、仮に、液晶電極１２に電荷が残留した場合であっても、ユーザによって残像が認識されることがなくなる。また、データ設定用トランジスタ１３へデータ書き込み中であったり又はバッファにデータが保持されたりしていた場合であっても、強制的にリセットを行うことによって、速やかに黒データの書き込み処理に移行することができる。
【００５２】
そして、本実施の形態の液晶表示装置１Ａでは、図５の（ａ）に示すように、メイン電源３１がオフされたときには、表示パネル１１０の途中行から下段までの書き込みを続けているゲートドライバ２４を全てリセットした後、表示パネル１１０の上段の先頭ラインからデータの書込みを行う。
【００５３】
この結果、図５の（ｂ）に示すように、通常映像の書込みを解除した後、黒データの書込みと行う。したがって、従来では、通常映像の書込みと黒データの書込みとが並行して行われる期間が発生し、その期間の消費電力が増加していたが、本実施の形態では、その重複期間を抹消することができる。
【００５４】
それゆえ、メイン電源３１のオフからサブ電源部３３に遷移したときに、サブ電源部３３による黒映像出力の消費電力を低減し得る液晶表示装置１Ａ及びテレビジョン受像機２を提供することができる。
【００５５】
このように、本実施の形態の液晶表示装置１Ａは、液晶素子としてのセル１１を備える表示パネル１０と、セル１１を駆動する走査線駆動部としてのゲートドライバ２４及び信号線駆動部としてのソースドライバ２３と、メイン電源３１がオフされたことを検知するメイン電源オフ検知部としての遮断検出部３４と、遮断検出部３４がメイン電源３１のオフへの切り替わりを検知したときに、表示パネル１０へ電力を供給するサブ電源部３３とを備えている。そして、メイン電源３１のオフを検知したときに、サブ電源部３３を用いて、ゲートドライバ２４にて少なくとも映像書き込み中のゲート線ＧＬを非選択とさせた後、ソースドライバ２３及びゲートドライバ２４にて全てのセル１１に黒映像を出力させる制御部としての主制御部４０及びタイミングコントローラ２２が設けられている。
【００５６】
上記の構成によれば、黒映像を出力する前に、少なくとも映像書き込み中のゲート線ＧＬを非選択とすることによって、表示パネル１０の先頭ラインから黒映像を出力しているときに、表示パネル１０の途中行において、映像書き込みが残っているということがない。そのため、黒映像を出力と映像書き込みの出力とが並行して行われるということがないので、サブ電源部３３の消費電力が小さくなる。
【００５７】
したがって、メイン電源３１のオフからサブ電源部３３に遷移したときに、サブ電源部３３による黒映像出力の消費電力を低減し得る液晶表示装置１Ａを提供することができる。
【００５８】
また、本実施の形態における液晶表示装置１Ａは、制御部は、タイミングコントローラ２２からなり、タイミングコントローラ２２は、メイン電源３１のオフを検知したときに、ゲートドライバ２４にリセット信号としてのドライバリセット信号ＲＳＴ２を出力することにより、ゲートドライバ２４に全てのゲート線ＧＬを非選択とさせる。
【００５９】
このため、タイミングコントローラ２２がゲートドライバ２４にドライバリセット信号ＲＳＴ２を出力するだけで、一度かつ同時に、ソースドライバ２３に全てのゲート線ＧＬを非選択とさせることができる。したがって、瞬時に、映像書き込み中のゲート線ＧＬが非選択となり、これから行われる映像書き込みがクリアされる。尚、本実施の形態では、既に終了した映像書きもクリアされるが、映像書きが終了している場合には電力が発生しないので、消費電力に影響することはない。
【００６０】
また、本実施の形態におけるテレビジョン受像機２は、本実施の形態の液晶表示装置１Ａを備えている。それゆえ、メイン電源３１のオフからサブ電源部３３に遷移したときに、サブ電源部３３による黒映像出力の消費電力を低減し得る液晶表示装置１Ａを備えたテレビジョン受像機２を提供することができる。
【００６１】
〔実施の形態２〕
本発明の他の実施の形態について図６に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００６２】
前記実施の形態１の液晶表示装置１Ａでは、前記メイン電源のオフを検知したときに、一度かつ同時に、走査線駆動部に全ての走査線を非選択とさせていた。これに対して、本実施の形態の液晶表示装置１Ｂでは、映像書き込みのために走査線選択動作中の走査線駆動部における全ての走査線を非選択とさせている点が異なっている。
【００６３】
本実施の形態の液晶表示装置１Ｂの構成及び動作について、図６に基づいて説明する。図６は、本実施の形態の液晶表示装置１Ｂにおけるゲートドライバ２４の構成を示す回路図である。
【００６４】
本実施の形態の液晶表示装置１Ｂのゲートドライバ２４は、図６に示すように、各個別ゲートドライバ２４ａ・２４ｂ…２４ｈの末端のフリップフロップ回路２６の出力が遮断時切替スイッチ２９を介して残映像ドライバリセット信号線２８に接続されている。遮断時切替スイッチ２９はドライバリセット信号線２７に接続されており、メイン電源３１のオフ時にタイミングコントローラ２２からドライバリセット信号ＲＳＴ２が遮断時切替スイッチ２９に入力されることにより、遮断時切替スイッチ２９がオンされる。このため、各個別ゲートドライバ２４ａ・２４ｂ…２４ｈの末端のフリップフロップ回路２６の出力が残映像ドライバリセット信号線２８に接続される。
【００６５】
その結果、メイン電源３１の遮断時に、例えば、個別ゲートドライバ２４ａの末端のフリップフロップ回路２６によりゲート線ＧＬに各映像書き込みのオン信号が送られたときに、そのオン信号は残映像ドライバリセット信号線２８にも出力される。この残映像ドライバリセット信号線２８は、個別ゲートドライバ２４ｂ…２４ｈのリセット端子Ｒにそれぞれ接続されている。この結果、例えば、個別ゲートドライバ２４ａによる映像書き込みが終了して、次の個別ゲートドライバ２４ｂによる映像書き込みを開始するときに、残映像ドライバリセット信号ＲＳＴ３が作用してその動作を解除する。残映像ドライバリセット信号ＲＳＴ３は、後段の個別ゲートドライバ２４ｂ…２４ｈのフリップフロップ回路２６のリセット端子Ｒに接続されているので、これから書き込みしようとする全ての個別ゲートドライバ２４ｂ…２４ｈによるゲート線ＧＬが非選択となり、書き込みが解除される。
【００６６】
したがって、これにより、映像書き込みのためにゲート線ＧＬ選択動作中の個別ゲートドライバ２４ａ・２４ｂ…２４ｈにおける全てのゲート線ＧＬが非選択となり、メイン電源３１のオフからサブ電源部３３に遷移したときに、サブ電源部３３による黒映像出力の消費電力を低減し得る液晶表示装置１Ｂを提供することができる。
【００６７】
尚、メイン電源３１による通常映像の書き込み時には、遮断時切替スイッチ２９はオフされているので、ゲート線ＧＬ選択動作中の個別ゲートドライバ２４ａ・２４ｂ…２４ｈにおける全てのゲート線ＧＬが非選択となることはない。また、遮断時切替スイッチ２９をオンにして全てのゲート線ＧＬを非選択とした後、黒映像を出力する場合には、遮断時切替スイッチ２９はオフされる。
【００６８】
このように、本実施の形態の液晶表示装置１Ｂでは、ゲートドライバ２４は、複数個の個別走査線駆動部としての個別ゲートドライバ２４ａ・２４ｂ…２４ｈからなっており、主制御部４０及びタイミングコントローラ２２は、メイン電源３１のオフを検知したときに、複数個の個別ゲートドライバ２４ａ・２４ｂ…２４ｈのうち、映像書き込みのためにゲート線ＧＬ選択動作中の個別ゲートドライバ２４ａ・２４ｂ…２４ｈにおける全てのゲート線ＧＬを非選択とさせる。
【００６９】
この結果、メイン電源３１のオフを検知したときに、ゲート線ＧＬ選択動作中の映像書き込みが解除されるので、残りの映像書き込みのために電力が消費されることがない。したがって、メイン電源３１のオフからサブ電源部３３に遷移したときに、サブ電源部３３による黒映像出力の消費電力を低減し得る液晶表示装置１Ｂを提供することができる。
【００７０】
〔まとめ〕
本発明の態様１における液晶表示装置１Ａ・１Ｂは、液晶素子（セル１１）を備える表示パネル１０と、上記液晶素子（セル１１）を駆動する走査線駆動部（ゲートドライバ２４）及び信号線駆動部（ソースドライバ２３）と、メイン電源３１がオフされたことを検知するメイン電源オフ検知部（遮断検出部３４）と、上記メイン電源３１がオフされたときに、少なくとも上記走査線駆動部（ゲートドライバ２４）及び信号線駆動部（ソースドライバ２３）を含む回路の電源電圧の降下を遅延させるサブ電源部３３とを備えた液晶表示装置において、上記メイン電源３１のオフを検知したときに、上記走査線駆動部（ゲートドライバ２４）にて少なくとも映像書き込み中のゲート線ＧＬを非選択とさせた後、黒映像を出力させるべく、上記走査線駆動部（ゲートドライバ２４）にリセット信号（ドライバリセット信号ＲＳＴ２）を出力するタイミングコントローラ２２が設けられていることを特徴としている。
【００７１】
上記の発明によれば、タイミングコントローラは、メイン電源のオフを検知したときに、走査線駆動部にリセット信号を出力する。これにより、走査線駆動部にて少なくとも映像書き込み中の走査線が非選択とされた後、黒映像が出力される。
【００７２】
この結果、黒映像を出力する前に、少なくとも映像書き込み中の走査線を非選択とすることによって、表示パネルの先頭ラインから黒映像を出力しているときに、表示パネルの途中行において、映像書き込みが残っているということがない。そのため、黒映像を出力と映像書き込みの出力とが並行して行われるということがないので、サブ電源部の消費電力が小さくなる。
【００７３】
したがって、メイン電源のオフからサブ電源部に遷移したときに、サブ電源部による黒映像出力の消費電力を低減し得る液晶表示装置を提供することができる。
【００７４】
本発明の態様２における液晶表示装置１Ａは、上記態様１において、前記タイミングコントローラ２２は、前記メイン電源３１のオフを検知したときに、前記ゲートドライバ２４にリセット信号（ドライバリセット信号ＲＳＴ２）を出力することにより、該走査線駆動部（ゲートドライバ２４）に全ての走査線（ゲート線ＧＬ）を非選択とさせるとすることができる。
【００７５】
これにより、タイミングコントローラは、メイン電源のオフを検知したときに、走査線駆動部にリセット信号を出力することにより、該走査線駆動部に全ての走査線を非選択とさせる。
【００７６】
このため、タイミングコントローラが走査線駆動部にリセット信号を出力するだけで、一度かつ同時に、走査線駆動部に全ての走査線を非選択とさせることができる。したがって、瞬時に、映像書き込み中の走査線が非選択となり、これから行われる映像書き込みがクリアされる。尚、本発明では、既に終了した映像書きもクリアされるが、映像書きが終了している場合には電力が発生しないので、消費電力に影響することはない。
【００７７】
本発明の態様３における液晶表示装置１Ｂは、上記態様１において、前記走査線駆動部（ゲートドライバ２４）は、複数個の個別走査線駆動部（個別ゲートドライバ２４ａ・２４ｂ…２４ｈ）からなっており、前記タイミングコントローラ２２は、前記メイン電源３１のオフを検知したときに、複数個の個別走査線駆動部（個別ゲートドライバ２４ａ・２４ｂ…２４ｈ）のうち、映像書き込みのために走査線選択動作中の個別走査線駆動部（個別ゲートドライバ２４ａ・２４ｂ…２４ｈ）における全ての走査線（ゲート線ＧＬ）を非選択とさせるとすることができる。
【００７８】
これにより、メイン電源のオフを検知したときに、複数個の個別走査線駆動部のうち、映像書き込みのために走査線選択動作中の個別走査線駆動部における全ての走査線が非選択とされる。この結果、メイン電源のオフを検知したときに、走査線選択動作中の映像書き込みが解除されるので、残りの映像書き込みのために電力が消費されることがない。したがって、メイン電源のオフからサブ電源部に遷移したときに、サブ電源部による黒映像出力の消費電力を低減し得る液晶表示装置を提供することができる。
【００７９】
本発明の態様４におけるテレビジョン受像機は、上記態様１〜３のいずれか１に記載の液晶表示装置を備えていることを特徴としている。
【００８０】
上記の発明によれば、メイン電源のオフからサブ電源部に遷移したときに、サブ電源部による黒映像出力の消費電力を低減し得る液晶表示装置を備えたテレビジョン受像機を提供することができる。
【符号の説明】
【００８１】
１Ａ・１Ｂ        液晶表示装置
２                テレビジョン受像機
１０                表示パネル
１１                セル（液晶素子）
１２                液晶電極
１３                データ設定用トランジスタ
２０                駆動回路
２１                画像データ回路
２２                タイミングコントローラ（制御部）
２３                ソースドライバ
２４                ゲートドライバ
２４ａ〜２４ｈ      個別ゲートドライバ（個別走査線駆動部）
２５                シフトレジスタ
２６                フリップフロップ回路
２７                ドライバリセット信号線
２８                残映像ドライバリセット信号線
２９                遮断時切替スイッチ
３０                電源回路部
３１                メイン電源
３２                パネル電源
３３                サブ電源部
３４                遮断検出部（メイン電源オフ検知部）
４０                主制御部（制御部）
４１                遮断時リセット信号線
ＤＬ                データ線
ＧＬ                ゲート線（走査線）
ＲＳＴ１            遮断時リセット信号
ＲＳＴ２            ドライバリセット信号（リセット信号）
ＲＳＴ３            残映像ドライバリセット信号
ｔ１〜ｔ３          時刻
【図１】
2017067958.tif 000003
【図２】
2017067958.tif 000004
【図３】
2017067958.tif 000005
【図４】
2017067958.tif 000006
【図５】
2017067958.tif 000007
【図６】
2017067958.tif 000008
【図７】
2017067958.tif 000009